(57)【特許請求の範囲】
【請求項１】
オーディオ入力信号に対して演出処理を行うオーディオ信号処理装置において、
前記オーディオ入力信号に対して演出処理を施すことで効果音を発揮させる信号を生成する演出処理部を、少なくとも１以上有し、所定の拍変更信号に従って前記各演出処理部における演出処理を行う信号処理手段と、
予めそれぞれ異なる倍率が割り当てられた複数の倍率指定手段と、
前記オーディオ入力信号の拍数又は拍周期を検出すると共に、前記倍率指定手段が操作されると、操作された倍率指定手段に割り当てられている前記倍率に基づいて前記検出した前記拍数又は拍周期を変更し、変更された新たな拍数又は拍周期を表す前記拍変更信号を生成して前記各演出処理部に供給する拍周期設定手段とを備え、
前記信号処理手段の前記各演出処理部が、前記拍周期設定手段で生成され前記変更された新たな拍数又は拍周期を表す前記拍変更信号に従って前記各演出処理を行うことで、前記オーディオ入力信号の拍子に合わせた演出効果を発揮する前記各信号を生成することを特徴とするオーディオ信号処理装置。
【請求項２】
外部から任意の拍数又は拍周期を指定する外部指定手段を備え、
前記拍周期設定手段は、前記オーディオ入力信号の拍数又は拍周期を検出する代わりに、前記外部指定手段によって外部から指定される前記拍数又は拍周期を検出し、該検出した拍数又は拍周期を前記操作された倍率指定手段に割り当てられている前記倍率に基づいて変更することにより、前記変更された新たな拍数又は拍周期を表す前記拍変更信号を生成して前記各演出処理部に供給することを特徴とする請求項１に記載のオーディオ信号処理装置。
【請求項３】
前記操作された倍率指定手段に割り当てられている前記倍率を、回動動作によって微調整する微調整手段を備えることを特徴とする請求項１又は２に記載のオーディオ信号処理装置。
【請求項４】
前記検出した拍数又は拍周期の値を表示する表示手段を備えることを特徴とする請求項１〜３のいずれか１項に記載のオーディオ信号処理装置。
【請求項５】
前記各演出処理部で生成される前記各信号のうちの少なくとも１つの信号と前記オーディオ入力信号とを混合させて、新たな効果音を発揮させる信号を生成する混合手段を備えることを特徴とする請求項１〜４のいずれか１項に記載のオーディオ信号処理装置。
【請求項６】
前記少なくとも１つの信号と前記オーディオ入力信号との混合比率を調節する混合比率調節手段を備えることを特徴とする請求項５に記載のオーディオ信号処理装置。
【発明の詳細な説明】
【０００１】
【発明の属する技術分野】
本発明は、オーデオ情報を加工するオーディオ信号処理装置に関し、特に、楽音の拍子（テンポ）を変化させ、調子の異なる楽音を生成するオーディオ信号処理装置に関するものである。
【０００２】
【従来の技術】
従来、楽音のテンポを変化させることで、リズミカルな楽音やスローテンポの楽音に加工・編集する演出技法が知られており、このような演出技法を支援する電子機器として、エフェクタと呼ばれるオーディオ信号処理装置が開発されている。
【０００３】
例えば、ディスコテック等では、ＤＪ（ディスクジョッキー）と呼ばれる演出者が、ダンス中の踊り客の雰囲気を機敏に感じ取り、オーディオ信号処理装置の操作で、踊り客にとって乗りの良いテンポの楽音を間断無く提供することにより、ダンス中の演出効果を高めるようにしている。また、楽音の本来のテンポを変化させることで、新しい感覚の楽音に編集する等の音楽活動も積極的に行われている。
【０００４】
従来のオーディオ信号処理装置には、テンポ調節用のダイヤル型ボリュームが設けられており、演出者が自らの音感を頼りにこのダイヤル型ボリュームを操作することで、テンポの変更や調節を行うようになっていた。
【０００５】
【発明が解決しようとする課題】
しかしながら、上記従来のオーディオ信号処理装置にあっては、演出者自身の音感を頼りに所望のテンポを設定する必要があるため、良好な操作性が得られない場合があった。すなわち、上記のディスコテック等では、間断無くテンポの変更や調節を行うことが要求されるが、演出者自身の音感を頼りにしたのでは、所望のテンポを得るのに煩雑で時間のかかる手操作が必要となるため、良好な操作性が得られない場合があった。
【０００６】
本発明は、このような従来のオーディオ信号処理装置の課題を克服するためになされたものであり、操作性が良く、優れた演出効果を発揮するオーディオ信号処理装置を提供することを目的とする。
【０００７】
【課題を解決するための手段】
請求項１に記載の発明は、オーディオ入力信号に対して演出処理を行うオーディオ信号処理装置において、前記オーディオ入力信号に対して演出処理を施すことで効果音を発揮させる信号を生成する演出処理部を、少なくとも１以上有し、所定の拍変更信号に従って前記各演出処理部における演出処理を行う信号処理手段と、予めそれぞれ異なる倍率が割り当てられた複数の倍率指定手段と、前記オーディオ入力信号の拍数又は拍周期を検出すると共に、前記倍率指定手段が操作されると、操作された倍率指定手段に割り当てられている前記倍率に基づいて前記検出した前記拍数又は拍周期を変更し、変更された新たな拍数又は拍周期を表す前記拍変更信号を生成して前記各演出処理部に供給する拍周期設定手段とを備え、前記信号処理手段の前記各演出処理部が、前記拍周期設定手段で生成され前記変更された新たな拍数又は拍周期を表す前記拍変更信号に従って前記各演出処理を行うことで、前記オーディオ入力信号の拍子に合わせた演出効果を発揮する前記各信号を生成することを特徴とする。
【０００８】
かかる構成によると、予め倍率が割り当てられている複数の倍率指定手段のうちの１つを操作者が操作すると、その操作された倍率指定手段に割り当てられている倍率に基づいて、オーディオ入力信号の拍数又は拍周期が変更される。そして、変更された新たな拍数又は拍周期に基づいて、上記オーディオ入力信号のテンポを変化させるための演出が行われる。
【０００９】
請求項２に記載の発明は、請求項１に記載のオーディオ信号処理装置において、外部から任意の拍数又は拍周期を指定する外部指定手段を備え、前記拍周期設定手段は、前記オーディオ入力信号の拍数又は拍周期を検出する代わりに、前記外部指定手段によって外部から指定される前記拍数又は拍周期を検出し、該検出した拍数又は拍周期を前記操作された倍率指定手段に割り当てられている前記倍率に基づいて変更することにより、前記変更された新たな拍数又は拍周期を表す前記拍変更信号を生成して前記各演出処理部に供給することを特徴とする。
【００１０】
かかる構成によると、オーディオ入力信号の本来の拍数又は拍周期を基準として上記オーディオ入力信号のテンポを変化させる代わりに、外部から入力された任意の拍数又は拍周期に基づいて、上記オーディオ入力信号のテンポを変化させるための演出が行われる。
請求項３に記載の発明は、請求項１又は２に記載のオーディオ信号処理装置において、前記操作された倍率指定手段に割り当てられている前記倍率を、回動動作によって微調整手段を備えることを特徴とする。
【００１１】
請求項４に記載の発明は、請求項１〜３のいずれか１項に記載のオーディオ信号処理装置において、前記検出した拍数又は拍周期の値を表示する表示手段を備えることを特徴とする。かかる構成によると、操作者に対して、演出処理にとって有効な現実の拍数又は拍周期を視覚的に提供する。
請求項５に記載の発明は、請求項１〜４のいずれか１項に記載のオーディオ信号処理装置において、前記各演出処理部で生成される前記各信号のうちの少なくとも１つの信号と前記オーディオ入力信号とを混合させて、新たな効果音を発揮させる信号を生成する混合手段を備えることを特徴とする。
請求項６に記載の発明は、請求項５に記載のオーディオ信号処理装置において、前記少なくとも１つの信号と前記オーディオ入力信号との混合比率を調節する混合比率調節手段を備えることを特徴とする。
【００１２】
【発明の実施の形態】
以下、本発明の一実施の形態を図面を参照して説明する。尚、図１は、本実施形態のオーディオ信号処理装置に内蔵されている要部回路を示すブロック図、図２は、デジタルシグナルプロセッサの機能を等価回路で示した機能ブロック図、図３は、本オーディオ信号処理装置に備えられている操作パネルの構造を示す平面図である。
【００１３】
本オーディオ信号処理装置は、楽音のテンポを変化させるための演出機能（以下、ビート演出機能という）の他、イコライザ演出機能、ディレー演出機能、エコー演出機能、パン演出機能、ジェット演出機能、カット演出機能等の複数の演出機能を備えており、操作者がこれら演出機能の１つ又は複数を指定することで、多様な演出効果を発揮させるようになっている。
【００１４】
図１において、本オーディオ信号処理装置１には、本装置全体を制御するシステムコントローラＡ１と、外部から供給されるアナログのステレオオーディオ入力信号ＳinをデジタルデータＤinにデジタル変換して入力するＡ／Ｄ変換器Ａ２と、上記複数の演出機能を備えた信号処理部Ａ３と、信号処理部Ａ３が演出処理をする際に各種のデータを格納するための記憶部Ａ４と、信号処理部Ａ３で演出処理されたデジタルデータＤoutをアナログのステレオオーディオ出力信号Ｓoutにアナログ変換して出力するＤ／Ａ変換器Ａ５が備えられている。更に、詳細は後述するが、符号５〜３９で示す各種の操作手段と表示手段がシステムコントローラＡ１に接続されている。
【００１５】
システムコントローラＡ１は、予め設定されたシステムプログラムの実行により本装置全体の動作を制御するマイクロプロセッサ（ＭＰＵ）を備え、操作者が上記の操作手段を操作すると、操作手段の動きを検出して信号処理部Ａ３と上記表示手段を制御する。
【００１６】
信号処理部Ａ３は、Ａ／Ｄ変換器Ａ２から供給されるデジタルデータＤinに対して、システムコントローラＡ１で指定された演出処理を行うデジタルシグナルプロセッサ（ＤＳＰ）で構成されている。このデジタルシグナルプロセッサによって、図２に示すような等価回路が実現されている。
【００１７】
すなわち、図２において、デジタルデータＤinの入力レベルを調節する可変増幅器Ｂ１と、可変増幅器Ｂ１から出力されるデジタルデータＤin’の周波数特性を可変調節するイコライザ処理部Ｂ２と、イコライザ処理部Ｂ２から出力されるデジタルデータＤ１の単位時間当たり（１分間当たり）の拍数ＢＰＭを測定する拍数測定部Ｂ３と、エコー（Ｅｃｈｏ）演出を行うエコー演出処理部Ｂ４と、ジェット演出を行うジェット演出処理部Ｂ５と、ディレー（Ｄｅｌａｙ）演出を行うディレー演出処理部Ｂ６と、パン（Ｐａｎ）演出を行うパン演出処理部Ｂ７と、カット（Ｃｕｔ）演出を施すカット演出処理部Ｂ８が構成されている。
【００１８】
そして、切換部Ｂ９が、イコライザ処理部Ｂ２と各演出処理部Ｂ４〜Ｂ８との接続を切り換えるようになっている。また、各演出処理部Ｂ４〜Ｂ８は、切換部Ｂ９を介してイコライザ処理部Ｂ２に接続されると、その接続された演出処理部のみが作動し、接続されていない演出処理部は作動しないようになっている。
【００１９】
更に、上記の各演算部Ｂ４〜Ｂ８で演算処理された出力データを加算演算する加算回路Ｂ10と、その加算演算によって加算回路Ｂ10で生成されるデジタルデータＤ２から特定の周波数成分を選択して出力するフィルタ回路Ｂ11と、フィルタ回路Ｂ11で生成されるデジタルデータＤ３に対して深さ演出を行う深さ演出処理部Ｂ12が構成されている。
【００２０】
更に、イコライザ処理部Ｂ２からのデジタルデータＤ１を増幅する増幅器Ｂ13と、深さ演出処理部Ｂ12で生成されるデジタルデータＤ４と増幅器Ｂ13の出力データＤ４とを加算演算する加算回路Ｄ６と、加算回路Ｄ６とデジタルデータＤ１とを切換えて出力する切換部Ｂ15を備え、切換部Ｂ15の出力データを可変増幅器Ｂ16で増幅することにより、Ｄ／Ａ変換器Ａ５に供給するためのデジタルデータＤoutを生成する構成となっている。
【００２１】
上記の符号５〜３９で示した各種の操作手段と表示手段は、図３に示すイコライザ操作部２と表示部３とエフェクト操作部４を備えた操作パネルに配設されている。
【００２２】
イコライザ操作部２には、入力調整ボリューム５と、３個のイコライザボリューム６，７，８と、出力調整ボリューム９と、切換スイッチ１０が設けられている。
【００２３】
入力調整ボリューム５は、回動型の可変ボリュームで形成されており、操作者による回動操作が行われると、その回動量をシステムコントローラＡ１が検出して可変増幅器Ｂ１に指示することにより、デジタルデータＤinの入力レベルをその回動量に応じて調節させる。
【００２４】
３個のイコライザボリューム６，７，８は、いずれも回動型の可変ボリュームで形成されており、システムコントローラＡ１が各イコライザボリューム６，７，８の回動量を検出してイコライザ処理部Ｂ２に指示することにより、可変増幅器Ｂ１から出力されるデジタルデータＤin’の周波数特性をその回動量に応じて調節させる。
【００２５】
すなわち、操作者によりイコライザボリューム６の操作が行われると、デジタルデータＤin’の低域周波数成分に対するイコライザ特性を調節し、イコライザボリューム７が操作されると、デジタルデータＤin’の中域周波数成分に対するイコライザ特性を調節し、イコライザボリューム８が操作されると、デジタルデータＤin’の高域周波数成分に対するイコライザ特性を調節する。
【００２６】
出力調整ボリューム９は、回動型の可変ボリュームで形成され、操作者による回動操作が行われると、その回動量をシステムコントローラＡ１が検出して可変増幅器Ｂ16に指示することにより、デジタルデータＤoutの出力レベルをその回動量に応じて調節させる。
【００２７】
切換スイッチ１０は、傾倒型のスナップスイッチで形成されており、イコライザボリューム６，７，８で設定されるイコライザ特性のデジタルデータＤin’への適用と解除との切換えを行うために設けられている。
【００２８】
操作者が切換スイッチ１０を、所定の「ＯＦＦ１」の位置に操作すると、システムコントローラＡ１がこの操作位置を検知し、イコライザ処理部Ｂ２に対して上記のイコライザ特性を解除させる。この解除処理によると、イコライザ処理部Ｂ２はデジタルデータＤin’の周波数特性を調節しなくなるため、デジタルデータＤin’をそのままデジタルデータＤ１として出力する。
【００２９】
また、切換スイッチ１０が「ＯＮ１」の位置に傾倒操作されると、デジタルデータＤin’への上記イコライザ特性の適用が継続して行われる。更に、切換スイッチ１０が「ＯＮ２」の位置に傾倒操作されると、その操作中だけ上記のイコライザ特性が適用され、操作者の手が離されると「ＯＦＦ１」の位置へ自己反力により自動的に戻って上記のイコライザ特性を解除するようになっている。
【００３０】
このように、イコライザボリューム６，７，８と切換スイッチ１０を操作することで、楽音の周波数特性を変化させるためのイコライザ演出機能が発揮されるようになっている。
【００３１】
表示部３には、単位時間当たり（１分間当たり）の拍数ＢＰＭを３桁表示する拍数表示部１１と、１拍の時間（以下、拍周期という）ＴBPMをミリ秒（mSec）の時間単位で４桁表示する拍周期表示部１２が設けられている。
【００３２】
エフェクト操作部４には、プッシュポップ型の押釦スイッチや静電容量検出型のタッチスイッチ等から成る操作ボタン１３〜２８と、傾倒型のスナップスイッチから成る演出処理起動スイッチ２９と、回動型の可変ボリューム３０，３１、及び操作ボタン２１〜２６の両側に配置された複数個の発光素子３３〜３９が設けられている。
【００３３】
操作ボタン１３はディレー演出、操作ボタン１４はエコー演出、操作ボタン１５はパン演出、操作ボタン１６はジェット演出、操作ボタン１７はカット演出をそれぞれ設定するために設けられている。
【００３４】
操作ボタン１３がオン操作されると、システムコントローラＡ１がこのオン操作を検知し、切換部Ｂ９をディレー演出処理部Ｂ６側へ切り換えさせて、ディレー演出処理部Ｂ６を起動させる。そして、ディレー演出処理部Ｂ６が、デジタルデータＤ１を所定の遅延時間ずらして出力し、この遅延された出力データと遅延されていないデジタルデータＤ５が加算回路Ｂ14で加算されることにより、ディレー演出効果を発揮するデジタルデータＤoutが生成される。
【００３５】
操作ボタン１４がオン操作されると、システムコントローラＡ１がこのオン操作を検知し、切換部Ｂ９をエコー演出処理部Ｂ４側へ切り換えさせて、エコー演出処理部Ｂ４を起動させる。そして、エコー演出処理部Ｂ４が、デジタルデータＤ１に対して位相変調と周波数変調を施すことにより、山びこ音のような効果音を発揮させるデジタルデータＤoutを生成させる。
【００３６】
操作ボタン１５がオン操作されると、システムコントローラＡ１がこのオン操作を検知し、切換部Ｂ９をパン演出処理部Ｂ７側へ切り換えて、パン演出処理部Ｂ７を起動させる。そして、パン演出処理部Ｂ７が、デジタルデータＤ１に含まれているステレオの右データと左データを上記の拍期間ＴBPMに同期して交互に出力する。これにより、右側と左側のスピーカーから交互に楽音を発生させるためデジタルデータＤoutが生成される。
【００３７】
操作ボタン１６がオン操作されると、システムコントローラＡ１がこのオン操作を検知し、切換部Ｂ９をジェット演出処理部Ｂ５側へ切り換えて、ジェット演出処理部Ｂ５を起動させる。これにより、ジェット演出処理部Ｂ５では、デジタルデータＤ１の位相を遅延させることによって遅延デジタルデータＤ１’を生成し、この遅延デジタルデータＤ１’と元のデジタルデータＤ１とを加算演算することにより、ジェット機の音のような効果音を発揮させるデジタルデータＤoutを生成させる。
【００３８】
操作ボタン１７がオン操作されると、システムコントローラＡ１がこのオン操作を検知し、切換部Ｂ９をカット演出処理部Ｂ８側へ切り換えさせて、カット演出処理部Ｂ８を起動させる。これにより、カット演出処理部Ｂ８が、デジタルデータＤ１を加算回路Ｂ10へ送出するのを禁止する。このように、デジタルデータＤ１の送出が遮断されることで、スピーカーからの楽音の発生を遮断するカット演出効果が発揮される。
【００３９】
次に、操作ボタン１８，１９，２０は、フィルタ回路Ｂ11の通過周波数帯域を切換え選択するために設けられている。すなわち、操作ボタン１８がオン操作されると、フィルタ回路Ｂ11が、加算回路Ｂ10で生成されたデジタルデータＤ２中の所定の低域周波数成分だけを通過させる。また、操作ボタン１９がオン操作されると、フィルタ回路Ｂ11が、デジタルデータＤ２中の所定の中域周波数成分だけを通過させる。また、操作ボタン２０がオン操作されると、フィルタ回路Ｂ11が、デジタルデータＤ２中の所定の高域周波数成分だけを通過させる。
【００４０】
このように、操作ボタン１８，１９，２０のオン操作により、フィルタ回路Ｂ11の通過周波数帯域を切換えることができ、音色の異なった演出効果を発揮させることができる。
【００４１】
可変ボリューム３１は、深さ演出処理部Ｂ12に、演出効果の程度を調整させるために設けられている。すなわち、可変ボリューム３１が回動操作されると、深さ演出処理部Ｂ12が、フィルタ処理部Ｂ10から供給されるデジタルデータＤ３の位相を回動量に応じてずらすことによって進相又は遅延したデジタルデータＤ４を生成し、このデジタルデータＤ４をイコライザ処理部Ｂ２側から供給されるデジタルデータＤ５の間に交互に挿嵌させることにより、演出効果の程度（深さ）を様々に変化させる。
【００４２】
演出処理起動スイッチ２９は、切換部Ｂ15の切換え動作を制御することで、演出効果が施されない楽音と演出効果が施された楽音との出力切換を行うために設けられている。
【００４３】
尚、操作者が演出処理起動スイッチ２９を所定の「ＯＦＦ２」の位置に操作すると、切換部Ｂ15がイコライザ処理部Ｂ２側へ接続され、イコライザ処理部Ｂ２で生成されるデジタルデータＤ１が切換部Ｂ15と可変増幅器Ｂ16を介して出力される。したがって、演出効果が施されない楽音が生成される。
【００４４】
また、演出処理起動スイッチ２９が「ＯＮ３」の位置に傾倒操作されると、その傾倒操作が行われている期間だけ切換部Ｂ15が加算回路Ｂ14側に切換わり、演出効果の施された楽音が生成される。そして、操作者が手を離すと、演出処理起動スイッチ２９の自己反力により自動的に「ＯＦＦ２」の位置へ戻り、演出効果が施されない楽音が生成される。
【００４５】
操作ボタン２７は、モード切換ボタンと呼ばれている。このモード切換ボタン２７がオン操作されると、拍数測定部Ｂ３が起動し、イコライザ処理部Ｂ２で生成されるデジタルデータＤ１のレベル変化の周期を検出し、この検出周期をプログラムタイマーで時間計数することによって、楽音の拍数ＢＰＭを自動測定する。更に、６０秒を拍数ＢＰＭで割り算することによって、１拍の拍周期ＴBPMを算出する。例えば、自動測定した拍数ＢＰＭが「１２０」であれば、６０秒を拍数「１２０」で割り算することによって得られる５００mSecを拍周期ＴBPMとする。そして、この自動検出した拍数ＢＰＭと拍周期ＴBPMとを、システムコントローラＡ１を介して拍数表示部１１と拍周期表示部１２にそれぞれ表示させる。
【００４６】
更に、システムコントローラＡ１内の拍周期設定部１００が、拍周期ＴBPMを表す拍周期信号ＢＴを上記の各演出処理部Ｂ４〜Ｂ８に供給することにより、各演出処理部Ｂ４〜Ｂ８に拍周期ＴBPMに同期した演出処理を行わせる。この結果、原楽音の拍子（テンポ）に合わせた演出効果を発揮する楽音が生成される。
【００４７】
一方、モード切換ボタン２７がオフ操作されると、拍数測定部Ｂ３の動作が停止する。そして、システムコントローラＡ１が、操作ボタン２８（以下、タップボタンという）で指定される拍数ＢＰＭ’を検出するようになる。すなわち、操作者がモード切換ボタン２７をオフ状態に設定して、タップボタン２８を太鼓を叩くようにして押下操作すると、システムコントローラＡ１がその押下周期を計測することで、拍数ＢＰＭ’を検出する。そして、６０秒をこの拍数ＢＰＭ’で割り算することによって拍周期ＴBPM’を算出し、更に、これらの拍数ＢＰＭ’と拍周期ＴBPM’を拍数表示部１１と拍周期表示部１２にそれぞれ表示させる。
更に、システムコントローラＡ１内の拍周期設定部１００が、拍周期ＴBPM’を表す拍周期信号ＢＴを上記の各演出処理部Ｂ４〜Ｂ８に供給することにより、各演出処理部Ｂ４〜Ｂ８に拍周期ＴBPM’に同期した演出処理を行わせる。この結果、タップボタン２８の操作により設定される拍子に合わせた演出効果を発揮する楽音が生成される。
【００４８】
このように、モード切換ボタン２７は、楽音の拍数ＢＰＭ及び拍周期ＴBPMを自動的に設定するための自動モードと、タップボタン２８で拍数ＢＰＭ’及び拍周期ＴBPM’をマニュアル設定するためのマニュアルモードとの切換えを行うために設けられている。そして、このマニュアルモードによって楽音本来の拍周期ＴBPMとは異なる拍周期ＴBPM’が設定されると、上述した各演出処理部Ｂ４〜Ｂ８がこの拍周期ＴBPM’同期して各演出処理を行うこととなるため、楽音の拍子を変化させるビート演出効果が発揮される。
【００４９】
操作ボタン２１〜２６は、倍率指定ボタンと呼ばれており、上記の自動モードとマニュアルモードで設定された拍周期ＴBPM又はＴBPM’を、１／４倍、１／２倍、３／４倍、１／１倍（等倍）、２／１倍（２倍）、４／１倍（４倍）にそれぞれ変更させるために設けられている。すなわち、倍率指定ボタン２１の機能について代表して説明すると、この倍率指定ボタン２１がオン操作されると、システムコントローラＡ１がこのオン操作を検知し、上記の自動モードとマニュアルモードで設定された拍周期ＴBPM又はＴBPM’を、ＴBPM／４又はＴBPM’／４の拍周期に変更させる。また、これらの拍周期ＴBPM／４又はＴBPM’／４を拍周期表示部１２に表示させると共に、６０秒を拍周期ＴBPM／４又はＴBPM’／４で割り算することによって得られる拍数ＢＰＭ”を拍数表示部１１に表示させる。
【００５０】
そして、この倍率指定ボタン２１で設定された拍周期ＴBPM／４又はＴBPM’／４を表す拍周期信号ＢＴが拍周期設定部１００から上記の各演出処理部Ｂ４〜Ｂ８に供給することにより、各演出処理部Ｂ４〜Ｂ８に拍周期ＴBPM／４又はＴBPM’／４に同期した演出処理を行わせる。
【００５１】
したがって、モード切換ボタン２７がオン操作され状態で、倍率指定ボタン２１がオン操作されると、原楽音の１／４の拍子に合わせた演出効果を発揮する楽音が生成される。一方、モード切換ボタン２７がオフ操作され状態で、倍率指定ボタン２１がオン操作されると、タップボタン２８の操作により設定される拍子の１／４の拍子に合わせた演出効果を発揮する楽音が生成される。
【００５２】
また、残余の倍率指定ボタン２２〜２６がオン操作された場合にも、倍率指定ボタン２１のオン操作の場合と同様の処理が行われることにより、楽音の拍子を変化させるビート演出効果が発揮されることとなる。
【００５３】
可変ボリューム３０は、倍率指定ボタン２１〜２６で設定される拍周期の倍率を微調整するために設けられている。すなわち、可変ボリューム３０が回動操作されると、システムコントローラＡ１がこの回動量を検知し、上記の拍周期ＴBPM，ＴBPM’又は倍率指定ボタン２１〜２６で設定された拍周期を微調整させる。そして、その微調整によって新たに設定された拍周期と拍数を拍周期表示部１２と拍数表示部１１に表示させると共に、各演出処理部Ｂ４〜Ｂ８での演出処理もこの新たに設定された拍周期に同期して行わせる。
【００５４】
このように、モード切換ボタン２７とタップボタン２８と倍率指定ボタン２１〜２６及び可変ボリューム３０を様々な組合せで操作することにより、多様なビート演出効果を設定することができるようになっている。
【００５５】
特に、倍率指定ボタン２１〜２６をオン操作するだけで、拍数と拍周期が自動的に設定されるため、楽音のテンポを迅速且つ容易に変更することができる等、操作性の向上が図られている。
【００５６】
発光素子３３〜３９は、可変ボリューム３０で微調整される拍周期の倍率を点滅表示によって指標する。すなわち、発光素子３４について代表して説明すると、可変ボリューム３０で微調整された拍周期の倍率が、１／４と１／２の間のずれた値であった場合に、発光素子３４が点灯する。そして、残余の発光素子３３，３５〜３９も同様に、現実の拍周期の倍率が倍率指定ボタン２２〜２６で予め設定されている倍率からずれていると、それに対応して点灯するようになっている。
【００５７】
このように、発光素子３３〜３９は、拍数と拍周期との現実の倍率を点灯表示するので、操作者が可変ボリューム３０を操作する際の目安情報を提供することができる。
【００５８】
次に、かかる構成を有する本オーディオ信号処理装置の動作例を図４に示すフローチャートに基づいて説明する。
【００５９】
図４において、スタートからエンドまでの一連の処理は、いわゆる割り込み処理などによって一定の周期で繰り返されるようになっている。まず、ステップＳ１００では、モード切換スイッチ２７による自動モードとマニュアルモードとのいずれが指定されているかを判定する。自動モード「ＹＥＳ」であればステップＳ１０１に移行し、原楽音と同じ拍子のデジタルデータＤ１から、自動的に拍数ＢＰＭを測定する。更に、拍数ＢＰＭに基づいて拍周期ＴBPMを算出した後、これらのデータＢＰＭとＴBPMを記憶部Ａ４に格納すると共に、拍周期表示部１２と拍数表示部１１に表示させる（ステップＳ１０３）。
【００６０】
一方、ステップＳ１００において、マニュアルモード「ＮＯ」であればステップＳ１０２に移行して、タップボタン２８の押下周期を測定し、この押下周期に基づいて拍数ＢＰＭ’を求め、更に、拍数ＢＰＭ’に基づいて拍周期ＴBPM’を算出した後、これらのデータＢＰＭ’とＴBPM’を記憶部Ａ４に格納すると共に、拍周期表示部１２と拍数表示部１１に表示させる（ステップＳ１０４）。
【００６１】
次に、ステップＳ１０５において、操作ボタン１３〜１７等の操作による演出の種類の変更がなされたか否かを判定し、変更された場合「ＹＥＳ］には、変更された演出の種類を設定し（ステップＳ１０６）、変更されなかった場合「ＮＯ」には、ステップＳ１０６の処理を行わない。
【００６２】
次に、ステップＳ１０７において、操作スイッチ１８〜２０による通過周波数帯域の変更がなされたか否かを判定し、変更がなされた場合［ＹＥＳ」には、その変更された通過周波数帯域を設定し（ステップＳ１０８）、変更されなかった場合「ＮＯ」には、ステップＳ１０８の処理を行わない。
【００６３】
次に、ステップＳ１０９において、倍率指定ボタン２１〜２６又は拍周期調整用の可変ボリューム３０が操作されたか否かを判定し、操作された場合「ＹＥＳ」には、ステップＳ１１０に移行して、指定された拍周期と拍数を記憶すると共に、これらの拍周期と拍数を拍周期表示部１２と拍数表示部１１に表示させる。一方、倍率指定ボタン２１〜２６又は拍周期調整用の可変ボリューム３０が操作されなかった場合には、ステップＳ１１０の処理が行われない。
【００６４】
次に、ステップＳ１１１において、演出処理起動スイッチ２９がオン操作されているか否かを判定し、オン操作されている場合「ＹＥＳ」には、設定された演出処理を実行し（ステップＳ１１２）、オン操作されていない場合「ＮＯ」には、演出処理を行わずに処理を終了する。そして、所定の周期でステップＳ１００〜Ｓ１１２の処理を繰り返すことにより、操作者の指示に即応した演出処理を行う。
【００６５】
このように、本実施形態のオーディオ信号処理装置によれば、従来のオーディオ信号処理装置ではダイヤル型ボリュームの操作でテンポの変更や調節を行うようにしていたのに対し、予め拍周期の倍率が割り振られている倍率指定ボタン２１〜２６をオン操作するだけで、所望の拍周期と拍数を設定することができるため、操作者に対して優れた操作性を提供することができる。
【００６６】
また、操作者が複数の演出機能を様々に組み合わせて設定することにより、多様な演出効果を発揮させることができる。
【００６７】
なお、本実施形態の説明では、説明の都合上、拍数と拍周期とを分けて説明したが、これらの拍数と拍周期は実質的に同等である。したがって、本発明は、演出処理のために、拍数と拍周期のいずれか一方に限って適用するものではなく、少なくともいずれか一方を適用して演出処理を行うものである。
【００６８】
【発明の効果】
以上説明したように本発明によれば、オーディオ入力信号のテンポを変化させるための基準となる拍数又は拍周期を、予め倍率が割り当てられている複数の倍率指定手段を操作者が操作するだけで変更するようにしたので、きわめて迅速且つ直接的にオーディオ入力信号のテンポを変化させることができる。よって、操作者に対して優れた操作性を提供することができる。
【００６９】
また、外部から任意の拍数又は拍周期を指定する外部指定手段を備えたので、オーディオ入力信号のテンポを変化させるための演出処理の多様化が可能となり、操作者に対して、優れた演出効果を発揮するオーディオ信号処理装置を提供することができる。
【００７０】
また、拍数又は拍周期の値を表示する表示手段を備えたので、演出処理にとって有効な現実の拍数又は拍周期を操作者に提供することができ、ひいては、操作性の優れたオーディオ信号処理装置を提供することができる。
【図面の簡単な説明】
【図１】本実施形態のオーディオ信号処理装置に内蔵されている要部回路を示すブロック図である。
【図２】デジタルシグナルプロセッサの機能を等価回路で示した機能ブロック図である。
【図３】本実施形態のオーディオ信号処理装置に備えられている操作パネルの構造を示す平面図である。
【図４】本実施形態のオーディオ信号処理装置の動作例を説明するためのフローチャートである。
【符号の説明】
Ａ１…システムコントローラ
Ａ３…信号処理部
Ｂ３…拍数測定部
１１  拍数表示部
１２  拍周期表示部
２１〜２６  倍率指定ボタン
２７…モード切換ボタン
２８…タップボタン
３０…可変ボリューム
１００…拍周期設定部
【図１】
0003736971.tif 000002
【図２】
0003736971.tif 000003
【図３】
0003736971.tif 000004
【図４】
0003736971.tif 000005